(57)【特許請求の範囲】
【請求項１】
ユニット本体の一面に設けた凹溝に一方の側縁を嵌め込んで前記ユニット本体の一面側に配置されるＤＩＮレールの他方の側縁側で且つ該側縁の位置から離れた前記ユニット本体の一面の位置に六角形状の突起を突設し、前記ユニット本体の一面上にＤＩＮフックを移動可能に配置したものであって、
該ＤＩＮフックは、矩形の枠状体と、当該枠状体において前記ＤＩＮレールの他方の側縁に対向する辺に設けられた係止片と、前記枠状体において係止片が設けられた辺とは反対側の辺に設けられた操作片と、前記枠状体の内側において当該操作片が設けられた辺より前記係止片が設けられた辺側に向かう形に突出形成された互いに並行する二本の保持腕杆とを備え、当該二本の保持腕杆の先端それぞれには前記突起の外側面に接触される突起部位が設けられ、
前記ＤＩＮフックを前記ＤＩＮレールの他方の側縁側方向に移動させたときに前記二本の保持腕杆それぞれの前記突起部位が当該突起部位間で前記突起を狭持しながら該突起の外縁角を弾発的に乗り越えて、前記係止片の先端のユニット本体側の面と前記ユニット本体の一面との間に前記ＤＩＮレールの他方の側縁を嵌め込むとともに前記突起上に前記二本の保持腕杆それぞれを載せた状態で、前記ＤＩＮレールを前記ユニット本体に取り付けることを特徴とする電気機器の取付装置。
【請求項２】
ＤＩＮレールに装着される電気機器が、プログラマブルコントローラのような制御機器であることを特徴とする請求項１記載の電気機器の取付装置。
【発明の詳細な説明】
【０００１】
【発明の属する技術分野】
本発明は、電気機器（たとえば、プログラマブルコントローラのような制御機器）を装着するための取付具（たとえば、ＤＩＮレール）を取り付ける電気機器の取付装置に関するものである。
【０００２】
【従来の技術】
従来品の一例として、電気機器を装着するためのＤＩＮレールをユニット本体に取り付けるものとして、成形品で製作されたユニット本体が有する弾性を利用して電気機器を取り付けるようにした取付装置が知られている。
【０００３】
【発明が解決しようとする課題】
このような従来品では、ユニット本体は成形品で製作されているために割れやすく、しかも電気機器が装着されたＤＩＮレールをユニット本体に着脱するための操作性がわるいという問題があった。本発明に係る電気機器の取付装置はこのような問題点に鑑み、ＤＩＮレールに装着されている電気機器を、ユニット本体上に安定した状態で取り付け、しかもその電気機器をユニット本体から簡単に取り外し可能であり、しかもＤＩＮレールに装着されるべき電気機器を、プログラマブルコントローラのような制御機器としたときは、複雑な電気回路を有する制御機器でもユニット本体上に簡易に設置できることを目的としている。
【０００４】
【課題を解決するための手段】
前記の目的を達成するために本発明に係る電気機器の取付装置は、ユニット本体６の一面に設けた凹溝７に一方の側縁１０を嵌め込んでユニット本体６の一面側に配置されるＤＩＮレール９の他方の側縁１０´側で且つ該側縁１０´の位置から離れたユニット本体６の一面の位置に六角形状の突起８を突設し、ユニット本体６の一面上にＤＩＮフック５を移動可能に配置したものであって、ＤＩＮフック５は、矩形の枠状体１と、当該枠状体１においてＤＩＮレール９の他方の側縁１０´に対向する辺に設けられた係止片３と、枠状体１において係止片３が設けられた辺とは反対側の辺に設けられた操作片２と、枠状体１の内側において当該操作片２が設けられた辺より係止片３が設けられた辺側に向かう形に突出形成された互いに並行する二本の保持腕杆４，４とを備え、当該二本の保持腕杆４，４の先端それぞれには突起８の外側面に接触される突起部位が設けられる。
【０００５】
そして請求項１の発明は、ＤＩＮレール９の一方の側縁１０をユニット本体６の凹溝７に嵌め込んだ状態で、電気機器を装着すべきＤＩＮレール９をユニット本体６上に載置し、ＤＩＮフック５をＤＩＮレール９の他方の側縁１０´側方向に移動させたときに二本の保持腕杆４，４それぞれの突起部位が当該突起部位間で突起８を狭持しながら該突起８の外縁角イを弾発的に乗り越えて、係止片３の先端のユニット本体６側の面とユニット本体６の一面との間にＤＩＮレール９の他方の側縁１０´を嵌め込むとともに突起８上に二本の保持腕杆４，４それぞれを載せた状態で、ＤＩＮレール９をユニット本体６上に取り付けることを特徴とするものである。
【０００６】
請求項２の発明は請求項１の発明において、ＤＩＮレール９に装着される電気機器が、プログラマブルコントローラのような制御機器であることを特徴とするものである。
【０００７】
本発明に係る電気機器の取付装置の作用を述べる。先ず一方の側縁１０をユニット本体６の凹溝７に嵌め込んだ状態でＤＩＮレール９をユニット本体６上に載置する。次に、操作片２をつかんでユニット本体６上においてＤＩＮフック５（枠状体１）を操作片２から係止片３に向かう方向に移動する。このようにして、係止片３の下面と枠状体１の外面との間に形成された間隙（ＤＩＮフック５をユニット本体６上に装着した状態で、ＤＩＮフック５の係止片３の下面とユニット本体６の上面との間に形成される間隙）ｄ内に、ＤＩＮレール９の一方の側縁１０′を嵌め込む。
【０００８】
そうすると、枠状体１の二本の保持腕杆４，４間は、ユニット本体６の上面に突設されている六角形状の突起８の外縁角イにより弾発的に押し拡げられてその突起８の外縁角イを弾発的に乗り越える。このようにしてＤＩＮフック５（枠状体１）により、電気機器が装着されたＤＩＮレール９をユニット本体６上に固定して取り付けるのである。そしてＤＩＮレール９上には、電気機器としてたとえばプログラマブルコントローラのような制御機器を装着するものである。
【０００９】
【発明の実施の形態】
本発明に係る電気機器の取付装置についてその実施の形態を図面を参照しながら説明する。図１は本発明に係る電気機器の取付装置の使用状態を示すもので、図１（Ａ）はＤＩＮフックを使用することにより、電気機器（図示せず。たとえば、プログラマブルコントローラ）を装着するためのＤＩＮレールを、ユニット本体上に固定して取り付ける状態を示す断面正面図、図１（Ｂ）は同上においてＤＩＮレールを、ユニット本体から取り外す状態を示す断面正面図である。図１において６はユニット本体であって、そのユニット本体６には、ＤＩＮレール９の一方の側縁１０を嵌合するための凹溝７を形成するとともに、そのユニット本体６の上面には表面形状が多角形（たとえば、六角形）をなした突起８を突設している。
【００１０】
図２は本発明に係る電気機器の取付装置に使用するＤＩＮフックを示しているが、図２（Ａ）はその平面図、図２（Ｂ）は図２（Ａ）のＸ−Ｘ′における断面図、図２（Ｃ）はその背面図、図２（Ｄ）は図２（Ｃ）に示した背面図を下面からみた状態の下面図である。
【００１１】
これらの各図について説明する。枠状体１の一側に操作片２を形成するとともに、枠状体１の他の一側で操作片２に対向した位置に係止片３を形成し、弾性を有しかつ平行状態に並列した二本の保持腕杆４，４を、前記枠状体１の内側の内方に向かってその枠状体１と一体に形成するとともに、二本の保持腕杆４，４間に、前記係止片３の先端が対向するようにして枠状体１の他の一側にその係止片３を形成し、その係止片３の下面と枠状体１の外面との間には若干の間隙（ＤＩＮフック５をユニット本体６上に装着した状態で、ＤＩＮフック５の係止片３の下面とユニット本体６の上面との間に形成される間隙）ｄ（図１（Ａ）（Ｂ）または図２（Ｂ）参照）を形成してＤＩＮフック５を構成するものである。
【００１２】
図３（Ａ）はＤＩＮフックを使用することにより、電気機器（図示せず。たとえば、プログラマブルコントローラ）を装着するためのＤＩＮレールをユニット本体上に取り付ける以前の状態を示す上面図、図３（Ｂ）は同上の取り付け後の状態を示す上面図である。
【００１３】
次に本発明に係る電気機器の取付装置に電気機器を取り付ける要領について図１を参照しながら述べる。先ず、一方の側縁１０をユニット本体６の凹溝７に嵌め込んだ状態で電気機器を装着すべきＤＩＮレール９をユニット本体６上に載置し、操作片２をつかんでユニット本体６上においてＤＩＮフック５（枠状体１）を図１（Ａ）中の矢印方向（操作片２から係止片３に向かう方向）Ｍに移動する。
【００１４】
矢印方向Ｍの移動により、係止片３の下面と枠状体１の外面との間に形成された間隙（ＤＩＮフック５をユニット本体６上に装着した状態で、ＤＩＮフック５の係止片３の下面とユニット本体６の上面との間に形成される間隙）ｄ内に、ＤＩＮレール９の他方の側縁１０′を嵌め込むとともに、枠状体１の二本の保持腕杆４，４間は、ユニット本体６の上面に突設されている六角形状の突起８の外縁角イにより弾発的に押し拡げられてその突起８の外縁角イを弾発的に乗り越えることになり、ＤＩＮフック５（枠状体１）により、図１（Ｂ）に示すようにＤＩＮレール９をユニット本体６上に固定して取り付けた状態となる。図１（Ｂ）に示す状態では、ＤＩＮフック５（枠状体１）によりＤＩＮレール９をユニット本体６上に固定して取り付けた状態となる。
【００１５】
さらに、これを図３について説明する。ＤＩＮフック５を図３（Ａ）中の矢印方向（操作片２から係止片３に向かう方向）Ｍに移動すると、枠状体１の二本の保持腕杆４，４間はユニット本体６の六角形状の突起８の外縁角イを乗り越えて弾発的に押し拡げられて、枠状体１の二本の保持腕杆４，４が、ユニット本体６の六角形状の突起８の外縁角イを乗り越えた状態では図３（Ｂ）に示すようになり、ＤＩＮレール９をユニット本体６上に固定して取り付けた状態となる。
【００１６】
前記したようにＤＩＮフック５を操作片２から係止片３に向かう方向〔図１（Ｂ）または図３（Ａ）中の矢印方向Ｍ〕に移動すると、枠状体１の二本の保持腕杆４，４間がユニット本体６の六角形状の突起８の外縁角イを乗り越えて弾発的に押し拡げられ、その後保持腕杆４，４間が元位置に復帰したとき、ＤＩＮレール９をユニット本体６上に取り付けた状態でＤＩＮレール９、すなわちＤＩＮレール９に装着されている電気機器を、ユニット本体６上に安定した状態で取り付けるものであり、また、電気機器をユニット本体６から簡単に取り外すことができる。なお、ＤＩＮレール９に装着されるべき電気機器（図示せず）が、プログラマブルコントローラのような制御機器であることは、複雑な制御機器回路でもユニット本体６上に容易に設置できてその回路構成が簡単となる。
【００１７】
【発明の効果】
本発明に係る電気機器の取付装置によれば以下のような効果を奏する。請求項１の発明では、ユニット本体上においてＤＩＮフックを操作片から係止片に向かう方向に移動すると、枠状体の二本の保持腕杆間がユニット本体の六角形状の突起の外縁角を乗り越えて弾発的に押し拡げられ、その後、保持腕杆間が元位置に復帰した状態で、ユニット本体上に取り付けた状態のＤＩＮレールを、すなわちＤＩＮレールに装着されるべき電気機器を、ユニット本体上に安定した状態で取り付けることができ、また、電気機器をユニット本体から簡単に取り外すことができる利点がある。
【００１８】
請求項２の発明では、ＤＩＮレールに装着されるべき電気機器が、プログラマブルコントローラのような制御機器であることは、複雑な制御回路でもユニット本体上に容易に設置できてその回路構成が簡単となり、コスト的にも経済的な取付装置を簡易に得ることができる利点がある。
【図面の簡単な説明】
【図１】  本発明に係る電気機器の取付装置の使用状態を示すもので、（Ａ）はＤＩＮフックを使用することにより、電気機器を装着するためのＤＩＮレールを、ユニット本体上に固定して取り付ける状態を示す断面正面図、（Ｂ）は同上においてＤＩＮレールを、ユニット本体から取り外す状態を示す断面正面図である。
【図２】  本発明に係る電気機器の取付装置に使用するＤＩＮフックを示すもので、（Ａ）はその平面図、（Ｂ）は図２（Ａ）のＸ−Ｘ′における断面図、（Ｃ）はその背面図、（Ｄ）は（Ｃ）に示す背面図を下面からみた状態の下面図である。
【図３】  本発明に係る電気機器の取付装置の使用状態を示すもので、（Ａ）はＤＩＮフックを使用することにより、電気機器を装着するためのＤＩＮレールをユニット本体上に取り付ける以前の状態を示す上面図、（Ｂ）は同上の取り付け後の状態を示す上面図である。
【符号の説明】
１            枠状体
２            操作片
３            係止片
４            保持腕杆
５            ＤＩＮフック
６            ユニット本体
７            ユニット本体の凹溝
８            ユニット本体の六角形状の突起
９            ＤＩＮレール
１０，１０′  ＤＩＮレールの側縁
ｄ            係止片の下面と枠状体の外面との間に形成した間隙
【図１】
0004160644.tif 000002
【図２】
0004160644.tif 000003
【図３】
0004160644.tif 000004